(57)【要約】  本発明は、下方への穴あけ工具に用いられる装置に関する。この装置は、案内ドリル錐（１０）と、リーマ（８）と、リーマ（８）および案内ドリル錐（１０）をケーシングチューブ（２）の端部で支持するよう設けられた案内棒本体（１）とを備えている。リーマ（８）は、閉止位置において工具の各部分が互いに同軸となるとともにケーシングチューブ（２）から取り外し可能となり、開口位置において当該リーマ（８）の少なくとも一部分がケーシングチューブ（２）の外方において半径方向に延びるよう配置されるよう、構成されている。案内部本体（１）にはリーマ（８）を貫通して延びるような雄部分（７）が設けられている。雄部分（７）は、少なくとも案内ドリル錐（１０）に回転エネルギーおよび衝撃エネルギーを伝達するよう案内ドリル錐（１０）に係合している。
2007532803.tif 000002
【特許請求の範囲】
【請求項１】
下方への穴あけ工具に用いられる装置であって、
案内ドリル錐（１０）と、
リーマ（８）と、
リーマ（８）および案内ドリル錐（１０）をケーシングチューブ（２）の端部で支持するよう設けられた案内棒本体（１）と、
を備え、
リーマ（８）は、閉止位置において工具の各部分が互いに同軸となるとともにケーシングチューブ（２）から取り外し可能となり、開口位置において当該リーマ（８）の少なくとも一部分がケーシングチューブ（２）の外方において半径方向に延びるよう配置されるよう構成されており、また、案内棒本体（１）には、リーマ（８）を貫通して延びるような雄部分（７）が設けられており、
案内棒本体（１）の雄部分（７）は、回転エネルギーをリーマ（８）に伝達し当該リーマ（８）の閉止位置と開口位置との切り換えを行うようなカム表面（１７、２４）を有しており、案内棒本体（１）の雄部分（７）は、案内ドリル錐（１０）の凹部（９）に挿入可能となっていることを特徴とする装置。
【請求項２】
雄部分（７）にはネジ部（１１）が設けられており、案内ドリル錐（１０）の凹部（９）には対応するネジ部が設けられていることを特徴とする請求項１記載の装置。
【請求項３】
案内棒本体（１）の雄部分（７）は円錐形となっており、案内ドリル錐（１０）の凹部（９）も円錐形となっていることを特徴とする請求項１記載の装置。
【請求項４】
案内棒本体（１）と案内ドリル錐（１０）との間には、これらの案内棒本体（１）と案内ドリル錐（１０）との間の軸方向の移動を抑止するための固定手段（１２、１３）が配置されていることを特徴とする請求項１乃至３のいずれか一項に記載の装置。
【請求項５】
リーマ（８）は、当該リーマ（８）の回転のため案内棒本体（１）の駆動表面（２１）と協働する軸ピン（１９）を有することを特徴とする請求項１記載の装置。
【請求項６】
案内棒本体（１）のカム表面（１７、２４）は、リーマ（８）内にありこのリーマ（８）を回転させるための偏心穴（２５）と協働し、閉止位置と開口位置との切り換えを行うような偏心部分（２４）であることを特徴とする請求項１記載の装置。
【請求項７】
雄部分（７）の端部は楕円形となっており、案内ドリル錐（１０）内にある同様の楕円形の穴に嵌合するようになっていることを特徴とする請求項１記載の装置。
【請求項８】
固定手段は、ボールレース（２７Ａ、２７Ｂ）内に設けられたボール（２６）からなり、このボール（２６）は、案内ドリル錐（１０）の穴（２８）に配置されたプラグ（２９）によりボールレース（２７Ａ、２７Ｂ）に囲まれるようになっていることを特徴とする請求項１乃至３および７のいずれか一項に記載の装置。
【発明の詳細な説明】
【技術分野】
【０００１】
本発明は、添付書類の請求項１の前段部による装置に関する。
【背景技術】
【０００２】
従来技術によれば、案内ドリル錐への回転力の伝達は、リーマを介して案内棒本体から行われ、または逆方向に行われる。このことは、伝達機構に含まれる部品への激しい損耗やこのことによる大幅な耐用年数の減少という点で、不利益となる。この損耗や故障は、案内ドリル錐と偏心リーマとの間の重い連結によって高トルク抵抗および破損力が案内ドリル錐のシャフトと案内棒本体との間の連結部に引き起こされることにより、発生する。さらに、損傷のおそれや耐用年数の減少により、従来技術の工具の部品に不適切な負荷が発生するという大きな危険性がある。
【発明の開示】
【発明が解決しようとする課題】
【０００３】
本発明の基幹をなす課題は、従来技術と比較して大幅に改善された性能を有する装置を提供することにある。
【課題を解決するための手段】
【０００４】
この課題は、本発明により、具体的には冒頭に開示された装置に添付書類の請求項１による特徴が与えられることにより、解決される。
【０００５】
本発明は、従来技術の装置と比較して、案内棒本体と案内ドリル錐との間およびリーマとの間で大幅に好適な力の伝達を行うことができる装置を提供する。装置の耐用年数は大幅に伸び、過度の不適切な駆動および破損力が発生することが避けられる。更に、案内棒本体および案内ドリル錐の間の連結部には、案内棒本体から案内ドリル錐への衝撃エネルギーおよび回転エネルギーの伝達による負荷のみがかかることとなり、一方、案内棒本体からリーマへの衝撃エネルギーおよび回転エネルギーの伝達は、案内棒本体および案内ドリル錐の間の連結部に影響することがない。更に、本発明は、含有される部品の重量を減少させることができ、ドリル作業の効率性を大幅に向上させることができる。
【発明を実施するための最良の形態】
【０００６】
本発明のより詳細について、添付図面を参照して以下に述べる。
【０００７】
図１および図２に示すような、本発明による実施の形態の装置は案内棒本体１を備えている。この案内棒本体１は、ケーシングチューブ２の内部に配置され、ケーシングチューブ２内で延びるとともに案内棒本体１を時計回りに回転させるようなドリル棒が取り付けられている。案内棒本体１には、それ自体が従来のタイプのものであり以下の記載においては詳細について省略されたドリル棒とともに、下方への穴あけハンマーまたはトップハンマー、あるいはその両方により衝撃エネルギーが与えられるようになっている。本発明による装置に、衝撃に関係のない回転ドリルが用いられてもよい。
【０００８】
ケーシングチューブ２には、その開口部において、溶接部４によりケーシングチューブ２に溶接された衝撃ブロック３が設けられている。案内棒本体１は、ケーシングチューブに適合するような放射状の腰部５を有しており、案内棒本体１の残りの部分は衝撃ブロック３に適合するようになっている。案内棒本体１の腰部５は案内棒本体１の案内を行うとともにケーシングチューブ２内で支持される工具部分として機能するようになっている。さらに、この腰部５は衝撃ブロック３に衝撃エネルギーを伝達するようになっている。この衝撃エネルギーは、穴に沈むようケーシングチューブ２を駆動する機能を有している。案内棒本体１は、円周表面内で延びるチャンネル６を有している。このチャンネル６は、液体を流したりガスを流したりする通路として機能し、工具の働きによりこの流れの切断を行う。
【０００９】
案内棒本体１は、ケーシングチューブ２および衝撃ブロック３から外方に延びる雄部分７を有している。雄部分７は、リーマ８を貫通して延びる。雄部分７の端部は案内ドリル錐１０の凹部９内に延びている。雄部分７は適切なネジ部１１によりにより案内ドリル錐１０の凹部９内で固定されている。さらに、雄部分７および案内ドリル錐１０は固定具１２により互いに固定されている。図１に示すように、固定具１２は、案内ドリル錐の凹部および雄部分の両方に設けられた溝内に設置されるスライドピン１３を適切に有している。ネジ部１１は、案内棒本体１から案内ドリル錐１０に回転エネルギーおよび衝撃エネルギーを伝達するよう機能する。
【００１０】
雄部分７および案内ドリル錐１０を貫通するよう流れチャンネル１４が設けられている。この流れチャンネル１４は、図示のように、案内ドリル錐１０において複数のチャンネルに分割される。案内ドリル錐１０には、それ自体が公知の方法により、例えばカーバイドピンが固定された多くの摩耗本体１５が設けられている。
【００１１】
案内棒本体１と案内ドリル錐１０の間において、雄部分７上にリーマ８が設置されており、また例えばそれ自体が公知の種類のものであるカーバイドピンが固定された摩耗本体１６が設けられている。リーマ８による流れについて、雄部分７には偏心部分１７が設けられているとともにリーマ８には対応する偏心穴１８が設けられている。図１および図２において、リーマ８は、当該リーマ８が装置の中心軸からケーシングチューブ２を超えて半径方向に延びるような開口位置にあるものとして示されている。この際に、ドリル穴内にケーシングチューブ２のための空間を形成している。リーマ８は、案内棒本体１に向かって軸方向に延びるピンまたはヒール１９を更に有している。リーマ８に向くような案内棒本体１の端部は、ヒール１９のための凹部２０と、軸方向の駆動表面または接触表面２１を有するようになっている。この駆動表面または接触表面２１は、回転エネルギーをヒール１９および結果としてリーマ８に伝達するようになっている。案内棒本体１は、接触表面２１に対して反対側に接触表面を有している。このことにより、図示のような開口位置から閉止位置までのリーマの切り換えのための接触表面２１に対する、ヒール１９における対向する表面の接触が得られる。ここで、閉止位置において、リーマ８における半径方向の延びは案内ドリル錐１０の外径よりも小さくなっており、案内棒本体１およびこの案内棒本体１に設けられた部品が衝撃ブロック３を通ってケーシングチューブ２の内部に配置されていてもよい。
【００１２】
雄部分７は、液体またはガスを送るための追加のチャンネル２２、２３を有している。チャンネル１４、２２および２３は、上述のように、液体またはガスを搬送する機能を有している。
【００１３】
本発明による装置の上述の実施の形態によれば、案内ドリル錐１０への衝撃エネルギーおよび回転エネルギーの伝達は雄部分７を介して行われており、回転エネルギーおよび衝撃エネルギーの両方が案内棒本体１および雄部分７のみを介してリーマ８に伝達されるようになっている。案内ドリル錐１０における雄部分７と当該錐１０との間の連結は、リーマに伝達されるエネルギーにより影響を受けることはない。ネジ部１１は適切な種類のものとすることができる。
【００１４】
図３および図４は、本発明による装置の他の実施の形態を示す。上述の実施の形態と同じ部分には同じ参照符号を付ける。前述の実施の形態と図３および図４に示すような実施の形態との大きな違いは、案内棒本体１における雄部分７の形状およびこの案内棒本体１に設けられた部品にある。案内ドリル錐１０の凹部９にある雄部分７の端部は円錐形であり、柔軟性のあるスライドピン１３を含む固定具１２により凹部９に固定されている。リーマ８による流れについて、雄部分７は放射状の開口部２４を有しており、リーマ８は適合する凹部２５を有している。開口部２４は、リーマ８に対して回転エネルギーを時計回りに伝達する機能を有している。図４に示すような状態において、リーマ８は外側位置に配置されており、図３に明らかに示されるように、リーマの外径がケーシングチューブ２の外径よりも大きくなっている。雄部分７およびこれによる案内棒本体１の反時計回りの回転において、開口部２４は、リーマ８の、図示の位置から内側の閉止位置への切り換えを行うようになっている。この閉止位置において、リーマ８の外径が衝撃ブロック３すなわち案内棒本体１の内径よりも小さくなっており、リーマ８および案内ドリル錐１０はケーシングチューブ２に対して内部で軸方向に移動させられる。
【００１５】
この実施の形態においては、回転エネルギーおよび衝撃エネルギーの伝達は、案内棒本体１の雄部分７を介して案内ドリル錐１０およびリーマ８の両方に対して行われる。この実施の形態において、いかなるエネルギーも案内ドリル錐１０からリーマ８に伝達されることはない。
【００１６】
図５乃至図８は、本発明による装置の更に他の実施の形態を示す。上述の実施の形態と同じ部分には同じ参照符号を付ける。大きな違いは、案内棒本体１の雄部分７と案内ドリル錐１０との間の連結部の形状である。
【００１７】
この実施の形態においては、雄部分７の端部は、図７に明確に示すように、円筒が分割され各部分が分離されるとともに直線により互いに接続された楕円形となっている。雄部分７のこの端部は、案内ドリル錐１０に設けられた同様の楕円形の穴に適合するようになっている。各部分は、案内ドリル錐１０のボールレース（案内溝）２７Ａおよび雄部分７の端部にあるボールレース２７Ｂにある、固定ボール２６により互いに連結されるようになっている。案内ドリル錐１０にある穴２８はボールレース２７Ａに導かれるようになっている。穴２８にはゴムまたは類似の材料からなりボールレース２７Ｂにあるボール２６間で延びるプラグ２９が設けられている。穴２８の内部は穴２８内のプラグ２９が残るような溝が設けられていることがより有利となる。この溝は、ホール２８がネジ部となっているときに解放を容易に行うことができるようになる。このようにして、適切な寸法のドリルによりネジ山の頂を容易に破壊することができる。適切な寸法のＯリングのガスケットの一部は、プラグ２９として用いるのに適している。
【００１８】
トップハンマーのドリルにおいて、回転は概して反時計回りに行われる。開口位置と閉止位置との間のリーマの切り換えは、下方への穴あけハンマーにおける上述の向きに対して反対の向きの、案内棒本体の回転により効果的に行われる。
【００１９】
添付書類の特許請求の範囲により定義される発明の概念から外れることのない範囲において、当然のことながら様々な変更を行うことができる。
【図面の簡単な説明】
【００２０】
【図１】本発明による装置の一の実施の形態の部分断面図である。
【図２】図１のＡ−Ａライン矢視による断面図である。
【図３】本発明による装置の他の実施の形態の部分断面図である。
【図４】図３のＡ−Ａライン矢視による断面図である。
【図５】本発明による装置の更に他の実施の形態の、図３に類似する図面である。
【図６】図５のＡ−Ａライン矢視による断面図である。
【図７】図５のＢ−Ｂライン矢視による断面図である。
【図８】図５のＣ−Ｃライン矢視による断面図である。
【図１】
2007532803.tif 000003
【図２】
2007532803.tif 000004
【図３】
2007532803.tif 000005
【図４】
2007532803.tif 000006
【図５】
2007532803.tif 000007
【図６】
2007532803.tif 000008
【図７】
2007532803.tif 000009
【図８】
2007532803.tif 000010
【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
下方への穴あけ工具に用いられる装置であって、
案内ドリル錐と、
リーマと、
リーマおよび案内ドリル錐をケーシングチューブの端部で支持するよう設けられた案内棒本体と、
を備え、
リーマは、閉止位置において工具の各部分が互いに同軸となるとともにケーシングチューブから取り外し可能となり、開口位置において当該リーマの少なくとも一部分がケーシングチューブの外方において半径方向に延びるよう配置されるよう構成されており、また、案内棒本体には、リーマを貫通して延びるような雄部分が設けられており、
案内棒本体の雄部分は、回転エネルギーをリーマに伝達し当該リーマの閉止位置と開口位置との切り換えを行うようなカム表面を有しており、案内棒本体の雄部分は、案内ドリル錐の凹部に挿入可能となっていることを特徴とする装置。
【請求項２】
雄部分にはネジ部が設けられており、案内ドリル錐の凹部には対応するネジ部が設けられていることを特徴とする請求項１記載の装置。
【請求項３】
案内棒本体の雄部分は円錐形となっており、案内ドリル錐の凹部も円錐形となっていることを特徴とする請求項１記載の装置。
【請求項４】
案内棒本体と案内ドリル錐との間には、これらの案内棒本体と案内ドリル錐との間の軸方向の移動を抑止するための固定手段が配置されていることを特徴とする請求項１記載の装置。
【請求項５】
リーマは、当該リーマの回転のため案内棒本体の駆動表面と協働する軸ピンを有することを特徴とする請求項１記載の装置。
【請求項６】
案内棒本体のカム表面は、リーマ内にありこのリーマを回転させるための偏心穴と協働し、閉止位置と開口位置との切り換えを行うような偏心部分であることを特徴とする請求項１記載の装置。
【請求項７】
雄部分の端部は楕円形となっており、案内ドリル錐内にある同様の楕円形の穴に嵌合するようになっていることを特徴とする請求項１記載の装置。
【請求項８】
固定手段は、ボールレース内に設けられたボールからなり、このボールは、案内ドリル錐の穴に配置されたプラグによりボールレースに囲まれるようになっていることを特徴とする請求項１記載の装置。
【請求項９】
案内棒本体と案内ドリル錐との間には、これらの案内棒本体と案内ドリル錐との間の軸方向の移動を抑止するための固定手段が設けられたことを特徴とする請求項２記載の装置。
【請求項１０】
案内棒本体と案内ドリル錐との間には、これらの案内棒本体と案内ドリル錐との間の軸方向の移動を抑止するための固定手段が設けられたことを特徴とする請求項２記載の装置。
【請求項１１】
固定手段は、ボールレース内に設けられたボールからなり、このボールは、案内ドリル錐の穴に配置されたプラグによりボールレースに囲まれるようになっていることを特徴とする請求項２記載の装置。
【請求項１２】
固定手段は、ボールレース内に設けられたボールからなり、このボールは、案内ドリル錐の穴に配置されたプラグによりボールレースに囲まれるようになっていることを特徴とする請求項３記載の装置。
【請求項１３】
固定手段は、ボールレース内に設けられたボールからなり、このボールは、案内ドリル錐の穴に配置されたプラグによりボールレースに囲まれるようになっていることを特徴とする請求項７記載の装置。
【国際調査報告】
2007532803.tif 000011
2007532803.tif 000012